(57)【要約】【課題】円盤型の電池の周面に設けられた電極と、安定した状態で接合できる端子を備えた電池保持装置を提供する。【解決手段】周面７１に電極が設けられたボタン型の電池７０を保持する電池保持装置であって、電池７０を保持した状態で、周面７１に設けられた正電極と接合しながら電池７０の周面７１の曲率に応じて変形するコイル状端子５２を有する。【選択図】  図５
2004171940.tif 000002
【特許請求の範囲】
【請求項１】
周面に電極が設けられた円盤状の電池を保持する電池保持装置であって、
前記電池を保持した状態で、前記周面に設けられた前記電極と接合しながら前記電極に向けて付勢力を持って前記電池の前記周面の曲率に応じて変形するコイル状の端子
を有する電池保持装置。
【請求項２】
前記端子は、複数の巻回数を有する
請求項１に記載の電池保持装置。
【請求項３】
前記端子は、前記電池の周面に設けられた正電極と前記接合し、前記電池保持装置は、
前記電池を保持した状態で、前記電池の底面に設けられた負電極と接合する端子
をさらに有する請求項１または請求項２に記載の電池保持装置。
【発明の詳細な説明】
【０００１】
【発明の属する技術分野】
本発明は、周面に電極が設けられた円盤状の電池を保持した状態で上記電極と接合する端子を有する電池保持装置に関する。
【０００２】
【従来の技術】
近年、携帯電話装置に着脱自在に装着され、当該携帯電話装置に様々な機能およびデータを提供する通信補助装置が知られている。
このような通信補助装置は、通常、内蔵する電子回路に電力を供給するボタン型の電池が収容して保持されている。
ボタン型の電池は、通常、その底面に負電極が設けられ、その周面に正電極が設けられている。上記通信補助装置の電池保持部は、上記ボタン型の電池を保持した状態で、上記電池の負電極に接合する底面端子と、上記正電極に接合する周面端子とを有する。
従来の上記電池保持部の上記周面端子は、例えば、下記特許文献１のように、導電性金属製の板材をプレス等で打ち抜いて折り曲げ加工して形成され、電池の正電極に接合する先端部が、上記収容部の底面に対して略直角に立ち上がっている。
【０００３】
【特許文献１】
特開２００２−３１３２９８号公報
【０００４】
【発明が解決しようとする課題】
ところで、上述したボタン型の電池は、その製造メーカ間で、その周面の曲率などの外径サイズの公差にバラツキがある。
しかしながら、上述した従来の電池収容部の周面端子は、上述したような電池の製造メーカ間での電池の外径サイズの公差のバラツキに十分に適合できない場合があり、周面端子と電池の正電極とが安定した状態で接合された場合があるという問題がある。
【０００５】
本発明は上述した従来技術の問題点に鑑みてなされ、円盤型の電池の周面に設けられた電極と、安定した状態で接合できる端子を備えた電池保持装置を提供することを目的とする。
【０００６】
【課題を解決するための手段】
上記の目的を達成するため、本発明の電池保持装置は、周面に電極が設けられた円盤状の電池を保持する電池保持装置であって、前記電池を保持した状態で、前記周面に設けられた前記電極と接合しながら前記電極に向けて付勢力を持って前記電池の前記周面の曲率に応じて変形するコイル状の端子を有する。
【０００７】
本発明の電池保持装置の作用は以下のようになる。
本発明の電池保持装置に、円盤状の電池が保持される過程で、電池の周面がコイル状の端子に接合し、前記周面の曲率に応じて、前記コイル状の端子が変形する。
そして、上記電池保持装置に上記電池が保持された状態で、変形したコイル状の端子が、上記電極に向けて付勢力を持って当該電極と接合する。
【０００８】
また、本発明の電池保持装置は、好ましくは、前記端子は、複数の巻回数を有する。
【０００９】
また、本発明の電池保持装置は、好ましくは、前記端子は、前記電池の周面に設けられた正電極と前記接合し、前記電池保持装置は、前記電池を保持した状態で、前記電池の底面に設けられた負電極と接合する端子をさらに有する。
【００１０】
【発明の実施の形態】
以下、本発明の実施形態に係わる通信システムについて説明する。
図１は、携帯電話装置１１に装着された本実施形態の通信補助装置１２の外観図である。図１（Ａ）は側面図、図１（Ｂ）は正面図である。
通信補助装置１２は携帯電話装置１１に着脱自在に装着され、着時に携帯電話装置１１と通信補助装置１２との間で情報が入出力される。
本実施形態は、通信補助装置１２の電池保持部に特徴を有している。
【００１１】
以下、図１に示す各構成要素について説明する。
〔携帯電話装置１１〕
図２は、図１に示す携帯電話装置１１の機能ブロック図である。
図２に示すように、携帯電話装置１１は、例えば、通信インタフェース部２０、表示部２１、操作部２２、並びに制御部２３を有する。
通信インタフェース部２０は、図１に示す通信補助装置１２の後述する通信インタフェース部３０を着脱自在に装着する。通信インタフェース部２０は、通信インタフェース部３０を着時に通信補助装置１２との間で情報の入出力を行う。
表示部２１は、例えば、液晶ディスプレイであり、制御部２３の制御に基づいて、表示信号に応じた画像を表示する。
【００１２】
操作部２２は、キーボードやマウスなどであり、ユーザによる操作に応じた操作信号を制御部２３に出力する。
制御部２３は、操作部２２からの操作信号、並びに受信した信号に基づいて、携帯電話装置１１の処理を統括的に制御する。
【００１３】
〔通信補助装置１２〕
図３は、図１に示す通信補助装置１２の機能ブロック図である。
図３に示すように、通信補助装置１２は、例えば、通信インタフェース部３０、記憶部３１、制御部３２および電池保持部３３を有する。
ここで、電池保持部３３が本発明の電池保持装置に対応している。
通信インタフェース部３０は、携帯電話装置１１の通信インタフェース部２０に着脱自在に装着されるコネクタを有し、着時に携帯電話装置１１との間で情報の入出力を行う。
通信インタフェース部３０は、例えば、携帯電話装置１１の他にコンピュータの通信インタフェース部にも接続可能である。
【００１４】
記憶部３１は、例えば、記憶内容を電気的に消去可能な不揮発性メモリであるＥＥＰＲＯＭであり、通信インタフェース部３０が通信インタフェース部２０に装着された状態で携帯電話装置１１の制御部２３に提供する、プログラムおよびデータを記憶する。
制御部３２は、通信補助装置１２の処理を統括的に制御する。
【００１５】
以下、通信補助装置１２の電池保持部３３について詳細に説明する。
図４（Ａ）は蓋４０を外した状態での通信補助装置１２の正面図、図４（Ｂ）は通信補助装置１２に収容された基板６０の正面図である。
図５（Ａ）は図４（Ａ）に示すＡ−Ａにおける断面図、図５（Ｂ）は電池７０を保持（収容）していない状態でのコイル状端子５２の形状を説明するための図、図５（Ｃ）は電池７０を保持している状態でのコイル状端子５２の形状を説明するための図である。
【００１６】
電池保持部３３には、図１（Ｂ）に示すように蓋４０が着脱可能に装着される。
電池保持部３３は、図４（Ａ）および図５（Ａ），（Ｂ）に示すように、蓋４０を外した状態で通信補助装置１２の正面側に位置する凹状の電池収容部５０を有する。
電池収容部５０の底面は、図４（Ａ），（Ｂ）および図５（Ａ），（Ｂ）に示すように、通信補助装置１２内に収容された基板６０によって構成される。
電池収容部５０には、図５（Ａ），（Ｃ）に示すように、ボタン型などの円盤型の電池７０が保持（収容）され、電池７０から記憶部３１および制御部３２に電力が供給される。
ここで、電池７０が本発明の電池に対応している。
【００１７】
図４（Ａ），（Ｂ）に示すように、基板６０の一方の面には、板状端子５１、コイル状端子５２および通信インタフェース部３０が設けられている。
板状端子５１は、電池収容部５０に電池７０が保持された状態で、電池７０の底面に設けられた負電極（図示せず）と接合する。
板状端子５１は、導電性金属製の板材をプレス等で打ち抜いて折り曲げ加工して形成されている。
ここで、コイル状端子５２が本発明の負電極と接合する端子に対応している。
【００１８】
コイル状端子５２は、導電性の線状部材を用いて、複数の巻回数でコイル状に形成された弾性体である。
ここで、コイル状端子５２が本発明の端子に対応している。
コイル状端子５２は、電池収容部５０に電池７０が保持されていない状態で図５（Ｂ）に示すように、その中心軸が直線になる。
コイル状端子５２は、電池収容部５０に電池７０が保持された状態で図５（Ｃ）に示すように、電池７０の周面７１（本発明の周面）に設けられた正電極と接合しながら、電池７０の周面７１の曲率に応じて、電池収容部５０の中心に向けて付勢力を持って電池収容部５０の中心から外側に向けて湾曲する。
【００１９】
基板６０の他方の面には、記憶部３１および制御部３２が設けられている。制御部３２は、通信インタフェース部３０と電気的に接続されている。
板状端子５１およびコイル状端子５２は、基板６０に形成された開口部を介して、記憶部３１および制御部３２と電気的に接続されている。
【００２０】
以下、電池収容部５０に基板６０を保持する場合の通信補助装置１２の作用を説明する。
ユーザが図１（Ｂ）に示す通信補助装置１２の蓋４０を取り外す。
そして、ユーザが、ボタン型の電池７０を、電池７０の底面に設けられた負電極が電池収容部５０の底面に対向する姿勢で、電池７０を電池収容部５０に嵌め込む。
この過程で、コイル状端子５２が、電池７０の周面７１に設けられた正電極と接合して電池収容部５０の中心から外側に押圧され、基板６０の周面７１の曲率に応じて、図５（Ｂ）に示す状態から図５（Ａ），（Ｃ）に示す状態に変形する。
そして、電池収容部５０に電池７０が嵌め込まれた（保持された）状態で、変形したコイル状端子５２が、電池７０の周面７１の正電極に向けて付勢力を持って接合する。
【００２１】
また、図５（Ａ），（Ｃ）に示すように電池７０が完全に電池収容部５０内に収容（保持）された状態で、電池７０の底面に設けられた図示しない負電極が、図４（Ａ），（Ｂ）に示す板状端子５１と接合する。
【００２２】
以上説明したように、本実施形態によれば、通信補助装置１２の電池保持部３３において、電池７０の周面７１に設けられた正電極と接合する端子として、コイル状端子５２を用いたことで、ボタン型の電池７０の周面７１の曲率などの外径サイズに製造メーカ間でバラツキがあった場合でも、コイル状端子５２が電池７０の周面７１の正電極と接合しながら変形し、コイル状端子５２と上記正電極とが安定した状態で接合される。
また、本実施形態によれば、コイル状端子５２を用いたことで、コイル状端子５２が多接点で電池７０の周面７１の正電極に安定して接合できる。
そのため、本実施形態によれば、通信補助装置１２が電池７０から安定して電力の供給を受けることができ、通信補助装置１２を安定して動作させることが可能になる。
【００２３】
【発明の効果】
本発明によれば、円盤型の電池の周面に設けられた電極と、安定した状態で接合できる端子を備えた電池保持装置を提供することができる。
【図面の簡単な説明】
【図１】図１は、携帯電話装置に装着された本実施形態の通信補助装置の外観図であり、図１（Ａ）は側面図、図１（Ｂ）は正面図である。
【図２】図２は、図１に示す携帯電話装置の機能ブロック図である。
【図３】図３は、図１に示す通信補助装置の機能ブロック図である。
【図４】図４（Ａ）は蓋を外した状態での図１に示す通信補助装置の正面図、図４（Ｂ）は通信補助装置に収容された基板の正面図である。
【図５】図５（Ａ）は図４（Ａ）に示すＡ−Ａにおける断面図、図５（Ｂ）は電池を保持（収容）していない状態でのコイル状端子の形状を説明するための図、図５（Ｃ）は電池を保持している状態でのコイル状端子の形状を説明するための図である。
【符号の説明】
１１…携帯電話装置、１２…通信補助装置、２０…通信インタフェース部、２１…表示部、２２…操作部、２３…制御部、３０…通信インタフェース部、３１…記憶部、３２…制御部、３３…電池保持部、４０…蓋、５０…電池収容部、５１…板状端子、５２…コイル状端子、６０…基板、７０…ボタン型の電池、７１…周面
【図１】
2004171940.tif 000003
【図２】
2004171940.tif 000004
【図３】
2004171940.tif 000005
【図４】
2004171940.tif 000006
【図５】
2004171940.tif 000007